(57)【特許請求の範囲】
【請求項１】
受光面に複数の受光画素が配置され、入射される被写体画像に応じて発生する情報電荷を各受光画素に蓄積する固体撮像素子と、
スイッチング素子及び容量素子が複数段接続されると共に、これら複数の接続段の動作段数を切り換えて昇圧電圧が変更可能なチャージポンプ回路と、
前記昇圧電圧が所定の範囲にあるか否かを判定し、判定結果に基づいて前記チャージポンプ回路の昇圧段の動作段数を前記固体撮像素子の水平走査或いは垂直走査の少なくとも一方のブランキング期間内に切り換える昇圧制御回路と、
前記チャージポンプ回路の出力電圧及び前記基準電圧に基づいて所定の調整電圧を発生するレギュレート回路と、
前記レギュレート回路の出力電圧を受けて動作し、前記固体撮像素子の受光画素に蓄積された情報電荷を転送出力して画像信号を得る駆動回路と、
を備え、前記昇圧制御回路は、前記昇圧電圧が第１の電圧より低いとき前記チャージポンプ回路の昇圧段の動作段数を増加させ、前記昇圧電圧が前記第２の電圧より高いとき前記チャージポンプ回路の昇圧段の動作段数を減少させるものであり、前記第１の電圧は前記第２の電圧に比べ低いものであることを特徴とする撮像装置。
【請求項２】
請求項１に記載の撮像装置において、前記昇圧制御回路は、
前記チャージポンプ回路の出力を分圧して第１の分圧電圧及びこの第１の分圧電圧よりも電圧値が低い第２の分圧電圧を生成する分圧部と、前記第１及び第２の分圧電圧を所定の基準電圧と比較する比較部と、前記比較部の比較結果に基づいて前記チャージポンプ回路の昇圧段の動作段数を増減させる制御部と、を含み、
前記制御部は、前記第２の分圧電圧が前記基準電圧よりも高いとき、前記昇圧段の動作段数を減らし、前記第１の分圧電圧が前記基準電圧よりも低いとき、前記昇圧段の動作段数を増やし、前記基準電圧が前記第１及び第２の分圧電圧の間にあるとき、その時点での前記昇圧段の動作段数を維持することを特徴とする撮像装置。
【発明の詳細な説明】
【０００１】
【発明の属する技術分野】
本願発明は、入力電圧を昇圧して発生する昇圧電圧を出力する昇圧装置及びこれを備えた撮像装置に関する。
【０００２】
【従来の技術】
複数の異なる駆動電圧を必要とする電子機器においては、それら電圧を単一の電源から得るなどの目的で、昇圧回路やレギュレート回路が用いられる。図７は、このような電子機器として、例えば、撮像装置の一部の構成を示すブロック図である。
【０００３】
図７に示す撮像装置は、昇圧回路１、レギュレート回路２、ＣＣＤドライバ回路３及びＣＣＤイメージセンサ４から構成される。
【０００４】
昇圧回路１は、入力端子に受ける電源電圧ＶDを昇圧し、昇圧電圧を出力ＶO1として出力する。このような昇圧回路１には、例えば、入力端子間と出力端子間との間に直列接続される複数のトランジスタと、互いに隣接するトランジスタ間のノードに一方の端子が接続されるコンデンサとを備えるチャージポンプ回路がある。
【０００５】
レギュレート回路２は、昇圧回路１から出力される出力電圧ＶO1を取り込んで所定の調整電圧を生成し、出力ＶO2として出力する。このレギュレート回路２では、昇圧回路１にて昇圧された電圧を抵抗分割した分圧電圧と所定の基準電圧ＶRとを比較器にて比較し、比較器の出力に基づいて調整電圧を制御するようにしている。レギュレート回路２では、次段のＣＣＤドライバ回路３の動作電圧に合わせて調整電圧の電圧値が設定されており、昇圧回路１にて昇圧された出力ＶO1をＣＣＤドライバ回路３の動作電圧にまで降圧するような形で出力ＶO2の調整がなされる。
【０００６】
ＣＣＤドライバ回路３は、レギュレート回路２から出力される出力Ｖ02を受けて動作し、タイミング制御回路（図示せず）から供給される垂直同期信号ＶＴ及び水平同期信号ＨＴに同期する複数のクロックパルスを生成する。そして、生成した複数のクロックパルスをＣＣＤイメージセンサ４に供給する。
【０００７】
ＣＣＤイメージセンサ４は、行列配置される複数の受光画素を有する受光領域を備えており、この受光面に入射される光を各受光画素で受けて光電変換によって情報電荷を発生する。ＣＣＤイメージセンサ４では、この情報電荷を蓄積期間にて各受光画素に蓄積し、その後、ＣＣＤドライバ回路３からのクロックパルスに応じて順次転送出力する。そして、転送経路の最終段に設けられる出力部によって電圧値に変換し、画像信号Ｙ(t)として出力する。そして、ＣＣＤイメージセンサ４から出力された画像信号Ｙ(t)は、次段のアナログ信号処理回路、デジタル信号処理にて所定の信号処理がなされ、画像情報を表すデータとして記憶媒体や表示装置に出力される。
【０００８】
【発明が解決しようとする課題】
上述したような撮像装置に搭載される昇圧回路にあっては、その出力電圧ＶO1が電源電圧ＶDに依存しており、電源電圧ＶDの変動に追従して昇圧電圧が変動する。このため、電源電圧ＶDが何らかの影響によって不意に低下した場合、これに追従して昇圧回路の出力電圧ＶO1も低下する。したがって、ＣＣＤドライバ回路に対して規定の動作電圧を供給できない場合が生じるおそれがあり、このような場合にあっては、撮像装置の撮像動作に不都合が生じ得る。また、昇圧回路の出力電圧ＶO1は、昇圧回路の出力電圧を用いて動作する負荷に流れる電流の変化に依存し、負荷において多量の電流が消費されると、これに応じて、出力電圧ＶO1が変化する。このような場合であっても同様に、ＣＣＤドライバ回路に対する動作電圧を補償することができない場合が生じ得る。
【０００９】
そこで、本願発明は、上述の問題を解決するべく、電源電圧ＶDの低下や昇圧回路の出力負荷電流の変化が生じたとしても、常に安定した出力電圧を供給することのできる昇圧装置を提供することを目的とする。
【００１０】
【課題を解決するための手段】
本願発明は、上述の課題に鑑みてなされたものであり、その特徴とするところは、スイッチング素子及び容量素子が複数段接続されると共に、これら複数の昇圧段の動作段数を切り換えて昇圧電圧が変更可能なチャージポンプ回路と、前記昇圧電圧が所定の範囲にあるか否かを判定し、判定結果に基づいて前記チャージポンプ回路の昇圧段の動作段数を切り換える昇圧制御回路と、を備えたことにある。
【００１１】
本願発明によれば、入力電圧の変動に追従して変動するチャージポンプ回路の出力電圧を所定の範囲にあるか否かを判定し、判定結果に基づいて、チャージポンプ回路にて設定される複数段の昇圧能力のうちから最適なものを選択するようにしている。これにより、入力電圧が変動したとしても、この変動に追従してチャージポンプ回路の昇圧能力を変更することができ、チャージポンプ回路の出力電圧を安定させることができる。
【００１２】
また、撮像装置において、受光面に複数の受光画素が配置され、入射される被写体画像に応じて発生する情報電荷を各受光画素に蓄積する固体撮像素子と、スイッチング素子及び容量素子が複数段接続されると共に、これら複数の接続段の動作段数を切り換えて昇圧電圧が変更可能なチャージポンプ回路と、前記昇圧電圧が所定の範囲にあるか否かを判定し、判定結果に基づいて前記チャージポンプ回路の昇圧段の動作段数を切り換える昇圧制御回路と、前記チャージポンプ回路の出力電圧及び前記基準電圧に基づいて所定の調整電圧を発生するレギュレート回路と、前記レギュレート回路の出力電圧を受けて動作し、前記固体撮像素子の受光画素に蓄積された情報電荷を転送出力して画像信号を得る駆動回路と、を備えたことを特徴とする。
【００１３】
本願発明によれば、入力電圧の変動に応じて、チャージポンプ回路にて設定される複数段の昇圧能力のうちから最適なものを選択することができるため、チャージポンプ回路の出力電圧を安定させることが可能である。これにより、駆動回路及び固体撮像素子で動作の不具合が発生するのを防止することができ、撮像装置としての信頼性を向上させることができる。
【００１４】
【発明の実施の形態】
図１は、本願発明の昇圧装置を搭載する撮像装置の概略構成を示すブロック図である。本願発明の昇圧装置１１は、チャージポンプ回路１２及び昇圧制御回路１３から構成される。そして、この昇圧装置１１、レギュレート回路２、ＣＣＤドライバ回路３及びＣＤＤイメージセンサ４より撮像装置が構成される。尚、この図において、レギュレート回路２、ＣＣＤドライバ回路３及びＣＣＤイメージセンサ４は、図７に示すものと同一の構成である。
【００１５】
本願発明の昇圧装置１１の特徴とするところは、チャージポンプ回路１２の出力電圧の分圧電圧を基準電圧ＶRと比較し、この比較結果に基づいて、チャージポンプ回路１２にて設定される複数の昇圧段を選択的に駆動し、チャージポンプ回路１２の昇圧能力をフィードバック制御することにある。
【００１６】
チャージポンプ回路１２は、入力端子に入力される電源電圧ＶDを昇圧し、昇圧電圧を出力ＶO1として出力する。このチャージポンプ回路１２には、トランジスタ及びこのトランジスタのドレインが一方の端子に接続されるコンデンサからなる昇圧段が複数設けられる。これら複数の昇圧段は、チャージポンプ回路１２の入力端子及び出力端子の間に直列接続される。このため、例えば、昇圧段を２段で設定した場合、各トランジスタを選択的に駆動することで、第１の昇圧能力及びこの第１の昇圧能力よりも昇圧能力の高い第２の昇圧能力にて入力電圧を昇圧することができる。
【００１７】
昇圧制御回路１３は、チャージポンプ回路１２に接続され、分圧部１４、第１及び第２の比較器１５ａ、１５ｂ、制御部１６から構成される。分圧部１４は、チャージポンプ回路１２の出力側及び接地点ＶG（例えば、０Ｖ）の間に第１乃至第３の抵抗素子１４が直列に接続されて構成され、各抵抗素子１４ａ〜１４ｃ間のノードＡ、Ｂに出力電圧ＶO1を分圧した第１の分圧電圧ＶA及びこの第１の分圧電圧より低い第２の分圧電圧ＶBを生成する。第１の比較器１５ａは、非反転入力端子がノードＡに接続され、反転入力端子が基準電圧ＶRを取り込む端子に接続される。この第１の比較器１５ａでは、各入力端子に受ける第１の分圧電圧ＶA、基準電圧ＶRを比較し、各電圧間の電位差に応じた第１の比較出力Ａを出力する。第２の比較器１５ｂは、非反転入力端子がノードＢに接続され、反転入力端子が基準電圧ＶRに接続される。この第２の比較器１５ｂにおいても、第１の比較器１５ａと同様に、第２の分圧電圧ＶB、基準電圧ＶRとの電位差に応じた第２の比較出力Ｂを出力する。制御部１６は、２つの入力端子が第１及び第２の比較器１５ａ、１５ｂの出力端子に接続される。この制御部１６は、第１及び第２の比較出力Ａ、Ｂに基づいて、チャージポンプ回路１２の昇圧段の動作段数を切り換え制御する昇圧制御信号ＣＴを生成する。この昇圧制御信号ＣＴは、チャージポンプ回路１２に対して第１の昇圧能力にて動作するように指示を与える場合に、例えば、Ｈレベルの信号となり、逆に、第２の昇圧能力にて動作するように指示を与える場合にＬレベルの信号となる。
【００１８】
続いて、図１の動作を説明する。図２は、チャージポンプ回路１２の出力電圧と電源電圧ＶDとの関係を示すグラフである。先ず、このグラフ中で付されている符号について説明する。尚、図１と同一符号が付してあるものについては、それぞれ図１のものと対応しており、その説明を割愛する。電圧ＶKは、レギュレート回路２が規定の調整電圧を出力するために必要となるレギュレート回路２の動作電圧である。電圧ＶPは、第１の昇圧能力にてチャージポンプ回路１２が動作したときの昇圧電圧である（以下、第１の昇圧電圧と称する）。電圧ＶQは、第２の昇圧能力にてチャージポンプ回路１２が動作したときの昇圧電圧である（以下、第２の昇圧電圧と称する）。
【００１９】
先ず、電源が立ち上げられたとき、チャージポンプ回路１２は、出力電圧のより高速な立ち上がりを目的とし、昇圧能力が高い第２の昇圧能力にて駆動する。このため、電源電圧ＶDの上昇に伴って、第２の昇圧電圧ＶQ、第１及び第２の分圧電圧ＶA、ＶBが上昇する。そして、この電源電圧ＶDの上昇途中に第２の分圧電圧ＶBが基準電圧ＶRに達すると、チャージポンプ回路１２の昇圧段の動作段数を減らして昇圧能力を第１の昇圧能力に変更する。即ち、電源電圧ＶDがある程度まで立ち上がってくると、昇圧能力の低い第1の昇圧能力に変更して消費電力を抑えるようにしている。その後は、チャージポンプ回路１２を第１の昇圧能力にて駆動させ、電源電圧ＶDが安定している期間においては、第１の昇圧電圧ＶPを出力する。
【００２０】
続いて、電源電圧ＶDが低下した場合を説明する。電源電圧ＶDが何らかの影響によって低下した場合、この電源電圧ＶDの低下に追従して第１の昇圧電圧ＶPが低下し、更に、これに追従して、第１及び第２の分圧電圧ＶA、ＶBが低下する。この際、第１の分圧電圧ＶAが基準電圧ＶRまで低下した場合、チャージポンプ回路１２の昇圧段の動作段数を増やして第２の昇圧能力に切り換える。これにより、チャージポンプ回路１２の出力電圧が第２の昇圧電圧ＶQに切り換えられ、電圧ＶKに対して十分な余裕を確保することができる。そして、電源電圧ＶDの低下が解消されて電源電圧ＶDが再度上昇し、第２の分圧電圧ＶBが基準電圧ＶRに達したとき、再び、チャージポンプ回路１２の昇圧段の動作段数を減らして第１の昇圧能力に切り換える。尚、チャージポンプ回路１２の出力負荷（例えば、ＣＣＤドライバ回路）に流れる電流の変化の影響によってチャージポンプ回路１２の出力電圧ＶO1が低下した場合においても、電源電圧ＶDの低下によって出力電圧ＶO1が低下した場合と同様に動作する。
【００２１】
このように、複数の昇圧段を選択的に動作可能なチャージポンプ回路１２と、このチャージポンプ回路１２の出力電圧が所定の範囲にあるか否かに応じてチャージポンプ回路１２の昇圧段の動作段数を切り換える昇圧制御回路１３と、を備えることで、電源電圧ＶDの変動や出力負荷電流の変化の影響によるチャージポンプ回路１２の出力電圧の低下に応じて、チャージポンプ回路１２の昇圧能力を変化させることができる。これにより、昇圧装置としての出力電圧を安定させることができ、信頼性の向上を図ることができる。
【００２２】
また、本願発明においては、出力電圧ＶO1及び基準電圧ＶRの比較の際に、２つの分圧電圧ＶA、ＶBを用いる構成とし、電源電圧ＶDが低下する場合と上昇する場合とで、基準電圧ＶRと比較する分圧電圧を切り換えるようにしている。これにより、例えば、電源電圧ＶDが電圧ＶD1、或いは、電圧ＶD2付近で上昇と低下を繰り返すような場合であっても、チャージポンプ回路１２の昇圧能力が頻繁に切り替わるのを防止することができる。
【００２３】
図３は、チャージポンプ回路１２の構成を示すブロック図である。チャージポンプ回路１２は、トランジスタ２０ａ〜２０ｃ、コンデンサ２１ａ〜２１ｃ、ＮＯＲゲート２２、２３、インバータ２４から構成される。
【００２４】
トランジスタ２０ａ〜２０ｃは、Ｐチャンネル型を有し、電源電圧ＶD及び出力電圧ＶO1の間に直列に接続される。コンデンサ２１ａ、２１ｂは、互いに隣接するトランジスタ間のノードＥ、Ｆに一方の端子が接続され、他方の端子に電源電位ＶD及び接地電位ＶSの間で振幅する第１のクロックＣＫ1、この第１のクロックＣＫ1と逆位相の第２のクロック＊ＣＫ1を受ける。コンデンサ２１ｃは、トランジスタ２０ｃのドレイン側、即ち、ノードＧに一方の端子が接続され、他方の端子が接地点ＶSに接続される。ＮＯＲゲート２２は、２つの入力端子に昇圧制御信号ＣＴ、第１のクロックＣＫ1を受け、その出力がコンデンサ２１ａの他方の端子に接続される。ＮＯＲゲート２３は、２つの入力端子に、昇圧制御信号ＣＴ、第１のクロックＣＫ1を受け、その出力がトランジスタ２０ａのゲートに接続される。インバータ２４は、入力側に第１のクロックＣＫ1を受け、その出力がトランジスタ２０ｃのゲートに接続される。
【００２５】
続いて、図３の動作を説明する。尚、図３に示すチャージポンプ回路１２は、第１の昇圧能力で駆動する場合と第２の昇圧能力で駆動する場合とで動作が異なるため、ここでは、それぞれの場合を分けて説明する。図４は、チャージポンプ回路１２が第１の昇圧能力にて駆動する場合の図３の動作を説明するタイミング図である。
【００２６】
チャージポンプ回路１２が第１の昇圧能力にて駆動する場合には、昇圧制御回路１３から昇圧制御信号ＣＴとしてＨレベル（例えば、電源電位ＶD）の信号がＮＯＲゲート２２及びＮＯＲゲート２３の入力端子に供給されている。したがって、ＮＯＲゲート２２及びＮＯＲゲート２３は、Ｌレベル（例えば、接地電位ＶS）の信号を出力し、コンデンサ２１ａの他方の端子の電位を接地電位ＶSに固定すると共に、トランジスタ２０ａをオン状態とする。この結果、ノードＥの電位ＶEが電源電位ＶDとなる。即ち、この動作においては、トランジスタ２０ａ及びコンデンサ２１ａからなる１段目の昇圧段を無効とした上で、トランジスタ２０ｂに対し、電源電圧ＶDを印加するようにしている。
【００２７】
このような状態において、コンデンサ２１ｂの他方の端子には、第１のクロックＣＫ1が印加される。この際、トランジスタ２０ｂのゲートには、第１のクロックＣＫ1が印加され、これにより、トランジスタ２０ａは、第１のクロックＣＫ1がＬレベル（接地電位ＶS）のときにオンし、Ｈレベル（電源電位ＶD）のときにオフする。これと共に、トランジスタ２０ｃのゲートには、第１のクロックＣＫ1と逆位相の第２のクロック＊ＣＫ1が印加され、トランジスタ２０ｃは、第２のクロック＊ＣＫ1がＨレベルのときにオフし、Ｌレベルのときにオンする。この結果、ノードＦの電位ＶFが第１のクロックＣＫ1の振幅に応じて、電源電位ＶDと電源電位ＶDの２倍の電位２ＶDとで振幅し、最終的な出力ＶO1として電源電圧ＶDの２倍の電圧２ＶDを出力する。
【００２８】
図５は、チャージポンプ回路１２が第２の昇圧能力にて駆動する場合の図３の動作を説明するタイミング図である。
【００２９】
チャージポンプ回路１２が第２の昇圧能力にて駆動する場合には、昇圧制御回路１３から昇圧制御信号ＣＴとしてＬレベル（例えば、接地電位ＶS）の信号がＮＯＲゲート２２及びＮＯＲゲート２３の入力端子に供給されている。したがって、ＮＯＲゲート２２及びＮＯＲゲート２３からは、第１のクロックＣＫ1と逆位相（第２のクロック＊ＣＫ1と同相）でＨレベル（例えば、電源電位ＶD）、Ｌレベル（接地電位ＶS）を周期的に繰り返す出力が出力される。これら２つのＮＯＲゲートの出力は、それぞれコンデンサ２１ａの他方の端子、トランジスタ２０ａのゲートへ印加される。この結果、ノードＥの電位ＶEは、第２のクロック＊ＣＫ1の振幅に対応して電源電位ＶD及び電源電位ＶDの２倍の電位２ＶD間で振幅する。即ち、この動作においては、第１の昇圧能力で駆動する場合とは逆に、トランジスタ２０ａ及びコンデンサ２１ａからなる１段目の昇圧段を有効としている。そして、この状態において、トランジスタ２０ｂ、２０ｃ、コンデンサ２１ｂ、２１ｃに対し、第１の昇圧能力で駆動する場合と同様の電圧及び信号が与えられ、この結果、ノードＦの電圧ＶFが第１のクロックＣＫ1の振幅に対応して、電源電位ＶDの２倍の電位２ＶD及び電源電位ＶDの３倍の電位３ＶDで振幅し、最終的な出力ＶO1として電源電圧ＶDの３倍の電圧３ＶDを出力する。
【００３０】
図６は、昇圧制御回路１３に含まれる制御部１６の構成を示すブロック図である。制御部１６は、ＡＮＤゲート３１、ＥＸＮＮＯＲゲート３２、ＡＮＤゲート３３及びＤ−フリップフロップ３４から構成される。ＡＮＤゲート３１は、２つの入力端子に第１の比較出力Ａ、第２の比較出力Ｂを受け、これらの論理積を取って出力する。ＥＸＮＮＯＲゲート３２は、ＡＮＤゲート３１と同様に、２つの入力端子に第１及び第２の比較出力Ａ、Ｂを受け、これらの排他的論理和を取って出力する。ＡＮＤゲート３３は、２つの入力端子にＥＸＮＮＯＲゲート３２の出力、第３のクロックＣＫ3を受け、これらの論理積を取って出力する。Ｄ−フリップフロップ３４は、ＤＡＴＡ入力端子ＤにＡＮＤゲート３１の出力を受けると共に、クロック端子ＣにＡＮＤゲート３３の出力を受け、非反転出力端子Ｑから昇圧制御信号ＣＴを出力する。尚、これらの構成において、ＡＮＤゲート３３に入力される第３のクロックＣＫ3は、昇圧装置が撮像装置に組み込まれる場合、その撮像装置の水平走査期間１Ｈ及び垂直走査期間１Ｖの少なくとも一方のブランキング期間内でＨレベル（例えば、電源電位ＶD）に立ち上げられるクロック信号である。
【００３１】
続いて、図６の動作を説明する。第２の分圧電圧ＶBが基準電圧ＶRより電圧値が高い場合、ＡＮＤゲート３１及びＥＸＮＮＯＲゲート３２に対し、Ｈレベルの第１の比較出力Ａ及び第２の比較出力Ｂが出力される。このため、ＡＮＤゲート３１及びＥＸＮＮＯＲゲート３２からＨレベルの信号を出力し、それぞれ、Ｄ−フリップフロップ３４のＤＡＴＡ入力端子Ｄ、ＡＮＤゲート３３へ印加する。これに応じて、ＡＮＤゲート３３は、第３のクロックＣＫ3がＨレベルの期間に限ってＨレベルの信号を出力する。この結果、Ｄ−フリップフロップ３４は、水平走査期間及び垂直走査期間の少なくとも一方のブランキング期間にて第１のＡＮＤ回路３１の出力Ｈレベルをラッチし、昇圧制御信号ＣＴとしてＨレベルの信号を出力する。
【００３２】
逆に、第１の分圧電圧ＶAが基準電圧ＶRより電圧値が低い場合、ＡＮＤゲート３１からＬレベル、ＥＸＮＮＯＲゲート３２からＨレベルの信号が出力される。この結果、Ｄ−フリップフロップ３４において、水平走査期間及び垂直走査期間の少なくとも一方のブランキング期間でＬレベルの信号をラッチし、昇圧制御信号ＣＴとしてＬレベルの信号を出力する。
【００３３】
また、第１の分圧電圧ＶAが基準電圧ＶRより電圧値が高く、且つ、第２の分圧電圧ＶBが基準電圧ＶRより低い場合、即ち、２つの分圧電圧ＶA、ＶBの間に基準電圧ＶRがある場合、ＥＸＮＯＲゲート３２には、互いに論理レベルの異なる出力が印加される。このため、ＥＸＮＯＲゲート３２の出力をＬレベルとし、ＡＮＤゲート３３は、Ｌレベルの信号を出力する。この結果、Ｄ−フリップフロップ３４にてＡＮＤゲート３１の出力をラッチすることがなく、昇圧制御信号ＣＴの論理レベルは、変更されない。
【００３４】
このように制御部１６においては、撮像装置の水平走査期間及び垂直走査期間の少なくとも一方のブランキング期間に限って、昇圧制御信号ＣＴの論理レベルを変更するようにしている。このため、映像信号出力期間は、チャージポンプ回路の昇圧能力が保持され、昇圧能力の変更に起因して発生するノイズが映像信号に混入するのを防止することができる。
【００３５】
また、制御部１６においては、基準電圧ＶRが２つの分圧電圧ＶA、ＶBの間にある場合、チャージポンプ回路１２の昇圧能力の設定を変更しないようにしている。これにより、微少な範囲で電源電圧ＶDが上昇と下降を繰り返したとしても、チャージポンプ回路１２の昇圧能力が頻繁に変更されるのを防止することができる。
【００３６】
【発明の効果】
本願発明によれば、チャージポンプ回路の出力が所定範囲にあるか否かを判定し、この判定結果に基づいてチャージポンプ回路の昇圧段の動作段数を切り換え制御する構成とした。これにより、電源電圧やチャージポンプ回路の出力負荷電流の変動に追従して、チャージポンプ回路の昇圧能力を変更させることができ、次段の回路にて動作の不具合が発生するのを確実に防止することが可能である。また、チャージポンプ回路の出力電圧に応じて最適な昇圧能力を選択することができるため、余分な電力の消費を抑制し、消費電力の削減を可能としている。
【図面の簡単な説明】
【図１】本願発明の昇圧装置を搭載する撮像装置の構成を示すブロック図である。
【図２】チャージポンプ回路の出力電圧と電源電圧との関係を示す図である。
【図３】チャージポンプ回路の構成を示すブロック図である。
【図４】第１の昇圧能力にて駆動する際の図３の動作を説明するタイミング図である。
【図５】第２の昇圧能力にて駆動する際の図３の動作を説明するタイミング図である。
【図６】制御部の構成を示すブロック図である。
【図７】従来の昇圧回路を搭載する撮像装置の構成を示すブロック図である。
【符号の説明】
１：昇圧回路
２：レギュレート回路
３：ＣＣＤドライバ回路
４：ＣＣＤイメージセンサ
１１：昇圧装置
１２：チャージポンプ回路
１３：昇圧制御回路
１４：分圧部
１４ａ〜１４ｃ：抵抗素子
１５ａ、１５ｂ：比較器
１６：制御部
２０ａ〜２０ｃ：トランジスタ
２１ａ〜２１ｃ：コンデンサ
２２、２３：ＮＯＲゲート
２４：インバータ
３１、３３：ＡＮＤゲート
３２：ＥＸＮＯＲゲート
３４：Ｄ−フリップフロップ
【図１】
0004222768.tif 000002
【図２】
0004222768.tif 000003
【図３】
0004222768.tif 000004
【図４】
0004222768.tif 000005
【図５】
0004222768.tif 000006
【図６】
0004222768.tif 000007
【図７】
0004222768.tif 000008